(57)【要約】伝送路中を伝送する波長分割多重信号光に、複数の励起光源から出力される異なる波長の励起光を波長分割多重信号光に合波してラマン増幅を行う光増幅装置において、複数の励起光源のうち一の励起光源に対して、所定の周波数で励起光源から出力される励起光を強度変調する強度変調手段と、励起光によってラマン増幅された波長分割多重信号光の一部を電気信号に変換し、変換された前記電気信号から上記周波数の成分の利得変調信号を抽出する利得変調信号検出手段と、抽出された利得変調信号の所定期間における振幅が所定の値となるように、上記周波数で強度変調される励起光源から出力される励起光の強度のみを調整してラマン増幅利得を制御する制御手段と、をさらに備える。
2004091121.tif 000002
【特許請求の範囲】
【請求項１】
伝送路中を伝搬する波長分割多重信号光に、複数の励起光源から出力される異なる波長の励起光を前記波長分割多重信号光に合波してラマン増幅を行う光増幅装置において、
前記複数の励起光源のうち一の励起光源に対して、所定の周波数で前記励起光源から出力される励起光を強度変調する強度変調手段と、
前記励起光によってラマン増幅された波長分割多重信号光の一部を電気信号に変換する光電変換手段と、
変換された前記電気信号から前記周波数の成分の利得変調信号を抽出する利得変調信号検出手段と、
抽出された前記利得変調信号の振幅が所定の値となるように、前記周波数で強度変調される励起光源から出力される励起光の強度のみを調整してラマン増幅利得を制御する制御手段と、
を備え、前記複数の励起光源の個々の励起光源に対して順に、前記所定のラマン増幅利得を得るための励起光の強度の調整を行うことを特徴とする光増幅装置。
【請求項２】
前記制御手段は、前記波長分割多重信号光の一部の主信号光が欠落している場合に、前記欠落している主信号光のラマン増幅に主に寄与する励起光を予め初期設定した出力に保つように、前記励起光を出力する励起光源を制御することを特徴とする請求の範囲第１項に記載の光増幅装置。
【請求項３】
前記波長分割多重信号光には、前記励起光源から出力される励起光によるラマン増幅の寄与が大きい波長帯で、前記波長分割多重信号光を構成する主信号光の波長帯からずれた波長帯の補助信号光がさらに波長分割多重され、
前記制御手段は、前記利得変調信号の前記補助信号光における振幅が所定の値となるように、前記補助信号光のラマン増幅に主に寄与する励起光の強度の制御を行うことを特徴とする請求の範囲第１項に記載の光増幅装置。
【請求項４】
前記励起光源から出力される励起光によるラマン増幅の寄与が大きい波長帯で、前記波長分割多重信号光を構成する主信号光の波長帯からずれた波長帯の補助信号光を出力する補助信号光光源と、
前記補助信号光を、前記波長分割多重信号光に波長分割多重する合波手段と、
をさらに備え、
前記制御手段は、前記利得変調信号の前記補助信号光における振幅が所定の値となるように、前記補助信号光のラマン増幅に主に寄与する励起光の強度の制御を行うことを特徴とする請求の範囲第１項に記載の光増幅装置。
【請求項５】
伝送路中を伝搬する波長分割多重信号光に、複数の励起光源から出力される異なる波長の励起光を前記波長分割多重信号光に合波してラマン増幅を行う光増幅装置において、
前記複数の励起光源に対して、それぞれ異なる周波数で前記励起光源から出力される励起光を強度変調する強度変調手段と、
前記励起光によってラマン増幅された波長分割多重信号光の一部を電気信号に変換する光電変換手段と、
変換された前記電気信号から前記それぞれの周波数の成分の利得変調信号を抽出する複数の利得変調信号検出手段と、
前記複数の利得変調信号検出手段で抽出されたそれぞれの周波数の前記利得変調信号の振幅が所定の値となるように、それぞれのの周波数で強度変調される励起光源から出力される励起光の強度を調整してラマン増幅利得を制御する制御手段と、
を備え、前記複数の励起光源に対して、前記所定のラマン増幅利得を得るための励起光の強度の調整が同時に行われることを特徴とする光増幅装置。
【請求項６】
前記制御手段は、前記波長分割多重信号光の一部の主信号光が欠落している場合に、前記欠落している主信号光のラマン増幅に主に寄与する励起光を予め初期設定した出力に保つように、前記励起光を出力する励起光源を制御することを特徴とする請求の範囲第５項に記載の光増幅装置。
【請求項７】
前記波長分割多重信号光には、前記励起光源から出力される励起光によるラマン増幅の寄与が大きい波長帯で、前記波長分割多重信号光を構成する主信号光の波長帯からずれた波長帯の補助信号光がさらに波長分割多重され、
前記制御手段は、前記利得変調信号の前記補助信号光における振幅が所定の値となるように、前記補助信号光のラマン増幅に主に寄与する励起光の強度の制御を行うことを特徴とする請求の範囲第５項に記載の光増幅装置。
【請求項８】
前記励起光源から出力される励起光によるラマン増幅の寄与が大きい波長帯で、前記波長分割多重信号光を構成する主信号光の波長帯からずれた波長帯の補助信号光を出力する補助信号光光源と、
前記補助信号光を、前記波長分割多重信号光に波長分割多重する合波手段と、
をさらに備え、
前記制御手段は、前記利得変調信号の前記補助信号光における振幅が所定の値となるように、前記補助信号光のラマン増幅に主に寄与する励起光の強度の制御を行うことを特徴とする請求の範囲第５項に記載の光増幅装置。
【請求項９】
電気信号を光信号に変換して波長分割多重信号光を、伝送路を介して送信する光送信器と、前記伝送路を介して受信した前記波長分割多重信号光を電気信号に変換する光受信器との間に、前記伝送路中を伝送する波長分割多重信号光に、複数の励起光源から出力される異なる波長の励起光を前記波長分割多重信号光に合波してラマン増幅を行い、波長分割多重信号光の伝送損失をラマン増幅によって補償する複数の光増幅装置とが縦続接続された光通信システムであって、
前記光増幅装置は、
前記複数の励起光源のうち一の励起光源に対して、所定の周波数で前記励起光源から出力される励起光を強度変調する強度変調手段と、
前記励起光によってラマン増幅された波長分割多重信号光の一部を電気信号に変換する光電変換手段と、
変換された前記電気信号から前記周波数の成分の利得変調信号を抽出する利得変調信号検出手段と、
抽出された前記利得変調信号の振幅が所定の値となるように、前記周波数で強度変調される励起光源から出力される励起光の強度のみを調整してラマン増幅利得を制御する制御手段と、
を備え、前記光送信器側に設置されている光増幅装置から、所定のラマン増幅利得を得るための前記光増幅装置内の前記励起光源から出力される励起光の強度の調整が時間をずらして順に行われ、また、前記光増幅装置内では、前記複数の励起光源の個々の励起光源に対して、前記所定のラマン増幅利得を得るための励起光の強度の調整が時間をずらして順に行われることを特徴とする光通信システム。
【請求項１０】
前記光増幅装置の前記制御手段は、前記光送信器から送信される波長分割多重信号光の一部の主信号光が欠落している場合に、前記欠落している主信号光のラマン増幅に主に寄与する励起光を予め初期設定した出力に保つように、前記励起光を出力する励起光源を制御することを特徴とする請求の範囲第９項に記載の光通信システム。
【請求項１１】
前記光送信器は、
前記光増幅装置内の励起光源から出力される励起光によるラマン増幅の寄与が大きい波長帯で、前記波長分割多重信号光を構成する主信号光の波長帯からずれた波長帯の補助信号光を出力する補助信号光光源と、
前記信号光と前記補助信号光とを波長分割多重して波長分割多重信号光とする光合波手段と、
をさらに備え、
前記光増幅装置の前記制御手段は、前記利得変調信号の前記補助信号光における振幅が所定の値となるように、前記補助信号光のラマン増幅に主に寄与する励起光の強度の制御を行うことを特徴とする請求の範囲第９項に記載の光通信システム。
【請求項１２】
前記光増幅装置は、
前記励起光源から出力される励起光によるラマン増幅の寄与が大きい波長帯で、前記波長分割多重信号光を構成する主信号光の波長帯からずれた波長帯の補助信号光を出力する補助信号光光源と、
前記補助信号光を、前記波長分割多重信号光に波長分割多重する合波手段と、
をさらに備え、
前記制御手段は、前記利得変調信号の前記補助信号光における振幅が所定の値となるように、前記補助信号光のラマン増幅に主に寄与する励起光の強度の制御を行うことを特徴とする請求の範囲第９項に記載の光通信システム。
【請求項１３】
前記光増幅装置が、所定のラマン増幅利得を得るための前記励起光源から出力される励起光の強度調整を行っていない場合に、
前記光増幅装置の前記強度変調手段を光通信システムの監視・制御信号の送信に利用し、
前記光増幅装置の前記利得変調信号検出手段および前記制御手段を、前記監視・制御信号の受信および制御に利用することを特徴とする請求の範囲第９項に記載の光通信システム。
【請求項１４】
電気信号を光信号に変換して波長分割多重信号光を、伝送路を介して送信する光送信器と、前記伝送路を介して受信した前記波長分割多重信号光を電気信号に変換する光受信器との間に、前記伝送路中を伝送する波長分割多重信号光に、複数の励起光源から出力される異なる波長の励起光を前記波長分割多重信号光に合波してラマン増幅を行い、波長分割多重信号光の伝送損失をラマン増幅によって補償する複数の光増幅装置が縦続接続された光通信システムであって、
前記光増幅装置は、
前記複数の励起光源に対して、それぞれ異なる周波数で前記励起光源から出力される励起光を強度変調する強度変調手段と、
前記励起光によってラマン増幅された波長分割多重信号光の一部を電気信号に変換する光電変換手段と、
変換された前記電気信号から前記それぞれの周波数の成分の利得変調信号を抽出する複数の利得変調信号検出手段と、
前記複数の利得変調信号検出手段で抽出されたそれぞれの周波数の前記利得変調信号の振幅が所定の値となるように、それぞれの周波数で強度変調される励起光源から出力される励起光の強度を調整してラマン増幅利得を制御する制御手段と、
を備え、前記光送信器側に設置されている光増幅装置から、所定のラマン増幅利得を得るための前記光増幅装置内の前記励起光源から出力される励起光の強度の調整が時間をずらして順に行われ、また、前記光増幅装置内では、前記複数の励起光源に対して、前記所定のラマン増幅利得を得るための励起光の強度の調整が同時に行われることを特徴とする光通信システム。
【請求項１５】
前記光増幅装置の前記制御手段は、前記波長分割多重信号光の一部の主信号光が欠落している場合に、前記欠落している主信号光のラマン増幅に主に寄与する励起光を予め初期設定した出力に保つように、前記励起光を出力する励起光源を制御することを特徴とする請求の範囲第１４項に記載の光通信システム。
【請求項１６】
前記光送信器は、
前記光増幅装置内の励起光源から出力される励起光によるラマン増幅の寄与が大きい波長帯で、前記波長分割多重信号光を構成する主信号光の波長帯からずれた波長帯の補助信号光を出力する補助信号光光源と、
前記信号光と前記補助信号光とを波長分割多重して波長分割多重信号光とする光合波手段と、
をさらに備え、
前記光増幅装置の前記制御手段は、前記利得変調信号の前記補助信号光における振幅が所定の値となるように、前記補助信号光のラマン増幅に主に寄与する励起光の強度の制御を行うことを特徴とする請求の範囲第１４項に記載の光通信システム。
【請求項１７】
前記光増幅装置は、
前記励起光源から出力される励起光によるラマン増幅の寄与が大きい波長帯で、前記波長分割多重信号光を構成する主信号光の波長帯からずれた波長帯の補助信号光を出力する補助信号光光源と、
前記補助信号光を、前記波長分割多重信号光に波長分割多重する合波手段と、
をさらに備え、
前記制御手段は、前記利得変調信号の前記補助信号光における振幅が所定の値となるように、前記補助信号光のラマン増幅に主に寄与する励起光の強度の制御を行うことを特徴とする請求の範囲第１４項に記載の光通信システム。
【請求項１８】
前記光増幅装置が、所定のラマン増幅利得を得るための前記励起光源から出力される励起光の強度調整を行っていない場合に、
前記光増幅装置の前記強度変調手段を光通信システムの監視・制御信号の送信に利用し、
前記光増幅装置の前記利得変調信号検出手段および前記制御手段を、前記監視・制御信号の受信および制御に利用することを特徴とする請求の範囲第１４項に記載の光通信システム。
【発明の詳細な説明】
【技術分野】  この発明は、光通信システムにおける光増幅装置に関し、特に、波長分割多重された主信号光（以下、ＷＤＭ主信号光という）を伝送する光増幅中継伝送システムに使用される光増幅装置および光通信システムに関するものである。
【背景技術】  主信号光を光ファイバ中を伝送させて通信を行う光通信システムにおいて、光送信器から送出されたＷＤＭ主信号光のパワーは、光ファイバ中を伝送して光受信器に到達するまでの間に、伝送損失によって低下してしまう。そして、光受信器に到達した主信号光のパワーが所定値以下の場合には、光受信器で信号光を読み取ることができずにエラーとなり、正常に光通信を行うことができないことがある。そこで、光送信器と光受信器との間に光増幅装置を設けて、この光増幅装置で主信号光のパワーを増幅して、主信号光の受けた伝送損失を補償し、光受信器に所定値以上のパワーの主信号光が入力されるようにしている。
このような光増幅装置として、主信号光が伝送する増幅媒体である光ファイバに励起光を供給し、誘導ラマン散乱という非線形現象を利用して主信号光の増幅を行うラマン増幅器がある。第１図は、従来のラマン増幅器の概略構成を示すブロック図である（たとえば、特許文献１参照）。このラマン増幅器は、波長λｓ１〜λｓｎ［μｍ］（λｓ１＜λｓｎ）のｎ個の主信号光が波長分割多重されたＷＤＭ主信号光を伝送するとともにラマン増幅する石英系ガラス光ファイバ（たとえば、ＳＭＦ）１０１と、異なる波長λｐ１，λｐ２［μｍ］（λｐ１＜λｐ２）の励起光を発生させる２つの励起光源１０３ａ，１０３ｂと、これらの励起光源１０３ａ，１０３ｂで発生した励起光を合波する第１の光カプラ１０２ａと、合波された励起光を石英系ガラス光ファイバ１０１に導入するための第２の光カプラ１０２ｂと、ラマン増幅されたＷＤＭ主信号光の石英系ガラス光ファイバ１０１内での逆流を防ぐアイソレータ１０４と、を有するものである。この例では、ラマン増幅された主信号光の利得の波長特性を平坦化させるようにするため、２つの励起光源１０３ａ，１０３ｂを使用している。
つぎに、このラマン増幅器の動作について説明する。伝送路でありまたラマン増幅媒体である石英系ガラス光ファイバ１０１中にはＷＤＭ主信号光が入力される。一方、２つの励起光源１０３ａ，１０３ｂから発生した２つの波長の異なる励起光は第１の光カプラ１０２ａによって合波され、合波された励起光はさらに第２の光カプラ１０２ｂによってＷＤＭ主信号光の進行方向とは逆方向に、石英系ガラス光ファイバ１０１に入力される。この励起光は、増幅媒体である石英系ガラス光ファイバ１０１内において、誘導ラマン散乱現象による光増幅作用をもたらし、ＷＤＭ主信号光が石英系ガラス光ファイバ１０１内でラマン増幅され、出力される。
第２図は、従来のラマン増幅器における石英系ガラス光ファイバ中の励起光／信号光スペクトルおよびラマン利得帯域を示す図である。ラマン増幅において、各励起光波長λｐ１，λｐ２［μｍ］に対するラマン利得帯域は、第２図に示されるように、各励起光波長から約０．１［μｍ］だけ長波長側に、ほぼ２つの励起光の波長差分ずれた波長帯として形成される。たとえば、波長λｐ１［μｍ］の励起光に対するラマン利得帯域は、実線Ｌ１で示される領域であり、波長λｐ２［μｍ］の励起光に対するラマン利得帯域は、破線Ｌ２で示される領域である。そして、波長λｐ１，λｐ２［μｍ］の２つの励起光で励起した場合のラマン利得帯域は、それぞれの励起光波長に対応するラマン利得帯域が合成された実線Ｌ０で示されるものとなる。
この第２図に示されるように、ＷＤＭ主信号光の最も波長の短い側に位置する主信号光は、短い波長λｐ１の励起光による寄与を主に受け、ＷＤＭ主信号光の最も波長の長い側に位置する主信号光は、長い波長λｐ２の励起光による寄与を主に受け、そして、ＷＤＭ主信号光の中心付近の波長は２つの波長λｐ１，λｐ２の励起光による寄与を受けてラマン増幅される。すなわち、ＷＤＭ主信号光の中の個々の主信号光が受ける２つの励起光の寄与の大きさは、その波長によってそれぞれ異なっている。そこで、励起光の波長λｐ１、λｐ２を適切に設定し、かつ各励起光源１０３ａ，１０３ｂからの励起光のパワーを調整すれば、ＷＤＭ主信号光の波長λｓ１〜λｓｎを含むようにラマン利得帯域を広帯域化することができる。その結果、所要の信号伝送帯域において広帯域に石英系ガラス光ファイバ１０１の損失を補償することができる。
また、上述した光通信システムにおいて、このようなラマン増幅器を用いて信号光の損失補償を行う光増幅伝送システムを１つの伝送区間として、これらを縦続接続することによって長距離光通信システムを構築することができる。このような長距離光通信システムの場合においても、それぞれの伝送区間で各励起光波長と励起光のパワーを調整して、伝送区間ごとのラマン利得帯域を広帯域に保つことによって、広帯域なＷＤＭ主信号光を長距離伝送することができる。
ところで、主信号光を光送信器と光受信器の中間で増幅中継する光通信システムでは、その光通信システムを構成する光中継器を遠隔制御するための制御信号を伝送するために、その光ネットワークでは、主信号光とは別にネットワーク管理情報を載せた制御信号を伝送する必要がある。そのため、デジタル変調信号光を比較的低い周波数の制御信号でさらに強度変動させ、石英系ガラス光ファイバを伝搬させる構成が知られている。たとえば、励起光を制御信号で強度変調し、この強度変調された励起光によってラマン増幅された主信号光の強度も制御信号に応じて変動することを利用して、光伝送システムにおける制御信号を主信号光に重畳する制御信号重畳装置が提案されている（たとえば、特許文献２参照）。
【特許文献１】        特開平１０−７３８５２号公報（第２〜３頁、第２，４図）
【特許文献２】        特開平１１−３４４７３２号公報（第３〜４頁、第１〜２図）
しかし、従来の特許文献１に開示されている光増幅装置においては、ラマン増幅されたＷＤＭ主信号光レベルが均一になるように個々の励起光のパワーを調整する必要があるが、第２図に示されるように、１つの波長の主信号光が複数の波長の励起光による寄与を受け、しかもその寄与がそれぞれの主信号光で異なるので、そのような調整が難しいという問題点があった。特に、複数の石英系ガラス光ファイバの損失やラマン利得係数にばらつきがある場合、または石英系ガラス光ファイバの損失が変動する場合に、ラマン増幅されたＷＤＭ主信号光レベルが均一になるように個々の励起光のパワーを調整することは容易ではない。
また、特許文献２に開示されている制御信号重畳装置では、光通信システムまたは光ネットワークにおいて伝送される制御信号を主信号光に重畳し、主信号光に重畳された制御信号成分が過変調状態になることを防止して主信号光の強度変調を一定に保つこと、つまり制御信号成分の変調度を安定に保つことを目的とするものであり、ラマン増幅された主信号光レベルが均一になるように、すなわちラマン増幅利得が所定の値となるように、個々の励起光のパワーを調整するものではなかった。
この発明は上記に鑑みてなされたもので、光通信システムの光増幅装置において、ラマン増幅されたＷＤＭ主信号光レベルが均一になるようにラマン利得を制御することができる光増幅装置と、この光増幅装置を用いた光通信システムを得ることを目的とする。
【発明の開示】
この発明にかかる光増幅装置は、伝送路中を伝搬する波長分割多重信号光に、複数の励起光源から出力される異なる波長の励起光を前記波長分割多重信号光に合波してラマン増幅を行う光増幅装置において、前記複数の励起光源のうち一の励起光源に対して、所定の周波数で前記励起光源から出力される励起光を強度変調する強度変調手段と、前記励起光によってラマン増幅された波長分割多重信号光の一部を電気信号に変換する光電変換手段と、変換された前記電気信号から前記周波数の成分の利得変調信号を抽出する利得変調信号検出手段と、抽出された前記利得変調信号の振幅が所定の値となるように、前記周波数で強度変調される励起光源から出力される励起光の強度のみを調整してラマン増幅利得を制御する制御手段と、をさらに備え、前記複数の励起光源の個々の励起光源に対して順に、前記所定のラマン増幅利得を得るための励起光の強度の調整を行うことを特徴とする。
【図面の簡単な説明】  第１図は、従来のラマン増幅器の概略構成を示すブロック図であり、第２図は、従来のラマン増幅器における石英系ガラス光ファイバ中の励起光／信号光スペクトルおよびラマン利得帯域を示す図であり、第３図は、この発明にかかる光増幅装置を適用した光通信システムの構成を模式的に示す図であり、第４図は、この発明にかかる光増幅装置の実施の形態１の概略構成を示すブロック図であり、第５図は、この発明にかかる光増幅装置の実施の形態２の概略構成を示すブロック図であり、第６図は、光送受信端局装置の概略構成を示すブロック図であり、第７図は、この発明にかかる光増幅装置の実施の形態５の概略構成を示すブロック図である。
【発明を実施するための最良の形態】  以下、添付図面を参照して、この発明にかかる光増幅装置および光通信システムの好適な実施の形態を詳細に説明する。
実施の形態１．
第３図は、この発明にかかる光増幅装置を適用した光通信システムの構成を摸式的に示す図であり、第４図は、この発明にかかる光増幅装置の実施の形態１の概略構成を示すブロック図である。この光通信システムは、電気信号を光信号に変換し、複数の波長帯の光信号を波長分割多重してＷＤＭ主信号光として送信し、また逆にＷＤＭ主信号光を受信し、各波長帯の光信号に分波して電気信号に変換する光送受信端局装置２２ａ，２２ｂが、ＷＤＭ主信号光を伝送する光ファイバなどの伝送路１で接続されており、この伝送路１中に受信側の光送受信端局装置２２ｂで所定の信号レベルのＷＤＭ主信号光を受信できるように、所定の数の光増幅装置２１ａ〜２１ｍが直列に多段接続されている。
光増幅装置２１は、波長λｓ１〜λｓｎの複数の信号光が波長分割多重されたＷＤＭ主信号光を伝送するとともにラマン増幅を行うラマン利得媒質である光ファイバ１と、光ファイバ１中を伝搬するＷＤＭ主信号光を増幅する波長λｐ１の励起光であって、周波数ｆ１で強度変調した励起光を発振することが可能な第１の励起光源３ａと、光ファイバ１中を伝搬するＷＤＭ主信号光を増幅する波長λｐ２の励起光であって、周波数ｆ１で強度変調した励起光を発振することが可能な第２の励起光源３ｂと、２つの励起光源３ａ，３ｂから発振された励起光を合波するための第１の光カプラ２ａと、合波された励起光を光ファイバ１へと導く第２の光カプラ２ｂと、増幅されたＷＤＭ主信号光の逆進を阻止して増幅動作を安定させる光アイソレータ４と、を備えて構成される。なお、この第３図において、ＷＤＭ主信号光は、光ファイバ１の左側から入力されるものとする。
ここで、光ファイバ１として、たとえば、シングルモード光ファイバ（ＳＭＦ）の石英系ガラス光ファイバを例示することができるが、これに限られるものではなく、テルライトガラス光ファイバなどを用いることもできる。
また、第１および第２の励起光源３ａ，３ｂとして、ガスレーザや固体レーザなどを使用することができるが、特に、駆動電流によって励起光のパワーを制御できる半導体レーザを使用するのが好ましい。ここでは、ＷＤＭ主信号光として、たとえば、波長１．５３μｍ（＝λｓ１）〜１．５６μｍ（＝λｓｎ）の帯域の光が用いられ、励起光として、波長１．４４μｍ（＝λｐ１）、波長１．４６μｍ（＝λｐ２）の光が用いられるものとする。
また、この光増幅装置２１は、ラマン増幅されたＷＤＭ主信号光の一部（たとえば、５％）を第２の光カプラ２ｂよりも下流側で分岐する第３の光カプラ２ｃと、第３の光カプラ２ｃによって分岐されたＷＤＭ主信号光を電気信号に変換する光検出器５と、光検出器５によって電気信号に変換された電気信号のうち、励起光を強度変調した周波数成分ｆ１を抽出して利得変調信号として分離する電気フィルタ５と、電気フィルタ５によって分離された利得変調信号の振幅から第１および第２の励起光源３ａ，３ｂの励起光の強度を調整する制御電気回路７と、を備えている。
制御電気回路７は、所定のラマン利得を得るために第１および第２の励起光源３ａ，３ｂの駆動電流を求め、この求めた駆動電流で第１および第２の励起光源３ａ，３ｂを制御する機能を有する。制御電気回路７は、第１の励起光源３ａの駆動電流を求める場合には、第１の励起光源３ａの駆動電流に周波数ｆ１で強度変調された変調信号を重畳する。その結果、所定の期間内に電気フィルタ６で得られるラマン増幅された主信号光波長における利得変調信号の波形の変化から利得変調信号の振幅を検出する。その後、この利得変調信号の振幅が所定の値の範囲内に収まるように、第１の励起光源３ａの強度（パワー）を駆動電流によって調整する。そして、利得変調信号の振幅が所定の値の範囲内に収まる駆動電流が求まると、制御電気回路７は、この駆動電流をもって第１の励起光源３ａを駆動する。制御電気回路７は、第１の励起光源３ａについての駆動電流の調整が終了すると、第１の励起光源３ａの駆動電流への周波数ｆ１で強度変調された変調信号の印加を止めた後に、第２の励起光源３ｂについても同様にして、周波数ｆ１で強度変調された変調信号をその駆動電流に印加して、利得変調信号の振幅が所定の値の範囲内に収まる駆動電流を求める。そして、このようにして求められたそれぞれの励起光源３ａ，３ｂの駆動電流によって、第１および第２の励起光源３ａ，３ｂを駆動してラマン増幅を行う。
つぎに、この光増幅装置２１の動作について、説明する。なお、以下の説明では、第１および第２の励起光源３ａ，３ｂとして半導体レーザを使用する場合を例示する。まず、制御電気回路７によって第１および第２の励起光源３ａ，３ｂを駆動するための駆動電流のうち、周波数ｆ１で強度変調された変調信号が第１の励起光源３ａの駆動電流に重畳される。この強度変調された駆動電流が第１の励起光源３ａに注入されると、周波数ｆ１で強度変調された波長λｐ１の励起光が第１の励起光源３ａから出射され、強度変調されていない波長λｐ２の励起光が第２の励起光源３ｂから出射される。第１および第２の励起光源３ａ，３ｂから出射されたそれぞれの励起光は、第１の光カプラ２ａによって合波され、さらに合波された励起光は、第２の光カプラ２ｂによって光ファイバ１へと導かれる。そして、励起光は、ＷＤＭ主信号光とは逆方向に光ファイバ１内を進行し、この光ファイバ１中を伝搬してくるＷＤＭ主信号光を誘導ラマン散乱現象によってラマン増幅する。このとき、光ファイバ１内でＷＤＭ主信号光は、強度変調された励起光の周波数ｆ１と同じ周波数ｆ１の利得変調を伴ってラマン増幅される。
ラマン増幅されたＷＤＭ主信号光は、第２の光カプラ２ｂと光アイソレータ４を透過して、第３の光カプラ２ｃに入力する。第３の光カプラ２ｃでは、ＷＤＭ主信号光のほとんどが透過して、そのまま光ファイバ１中を受信側の光送受信端局装置２２ｂ方向へと伝搬するが、ＷＤＭ主信号光の一部（たとえば、５％）が分岐される。この分岐されたＷＤＭ主信号光が光検出器５に入力する。
光検出器５で、ＷＤＭ主信号光は電気信号に変換され、変換された電気信号は、電気フィルタ６に入力する。電気フィルタ６では、ｆ１の周波数成分を有する電気信号が抽出、分離される。この電気フィルタ６で分離されたｆ１の周波数成分を有する電気信号、すなわち利得変調信号は、制御電気回路７に入力する。制御電気回路７では、所定の期間内に入力される利得変調信号の波形の変化から、各主信号光波長における利得変調信号の振幅が検出され、これらの利得変調信号の振幅が所定の値となるように、周波数ｆ１で励起光の強度変調を行っている第１の励起光源３ａの駆動電流が調整される。そして、この調整された変調信号または駆動電流によって、上述した第１の励起光源３ａから出力される励起光のパワーが調整される。
第１の励起光源３ａから出力される励起光のパワーが調整されると、制御電気回路７によって、第１の励起光源３ａは調整された値の駆動電流で一定に制御され、つぎに、第２の励起光源３ｂの駆動電流に周波数ｆ１で強度変調された変調信号が重畳される。その後、上述した第１の励起光源３ａの駆動電流の調整と同様にして、所定のラマン利得が得られるように、すなわち利得変調信号の振幅値が所定の値となるように、第２の励起光源３ｂの駆動電流が調整される。
第２の励起光源３ｂから出力される励起光のパワーが調整されると、制御電気回路７によって、第１および第２の励起光源３ａ，３ｂは、それぞれ調整された駆動電流で一定に制御される。その結果、第２図に示した光スペクトルと同様に、ＷＤＭ主信号光波長λｓ１〜λｓｎを含むようにラマン利得帯域を広帯域化することができ、ＷＤＭ主信号光伝送帯域において広帯域に光ファイバ１の損失を補償することができる。
なお、上述した説明では、光ファイバ１上に光アイソレータ４を設けているが、動作条件によってはこの光アイソレータ４を省略してもよい。
つぎに、この光増幅装置２１を備える光通信システムにおける動作について説明する。第３図に示されるように、光送受信端局装置２２ａから光送受信端局装置２２ｂに向かってＷＤＭ主信号光が伝搬し、光送受信端局装置２２ａ（ＷＤＭ主信号光の上流）側から順に、第１の光増幅装置２１ａ、第２の光増幅装置２１ｂ、・・・、第ｍの光増幅装置（ｍは任意の自然数）２１ｍが設置されているものとする。
光通信システムのラマン利得の制御にあたって、まず送信側の光送受信端局装置２２ａ側に設置された第１の光増幅装置２１ａが、上述した方法によって、ラマン増幅されたＷＤＭ主信号光の利得変調信号の振幅が所定の値となるように、第１の光増幅装置２１ａ内の励起光源の駆動電流を制御する。この第１の光増幅装置２１ａにおける励起光源のすべての駆動電流の制御が完了すると、たとえば、光通信システムの監視制御を行う信号を用いて、第２の光増幅装置２１ｂに励起光源の駆動電流の制御を行う指令が伝達される。この指令を受けると、第２の光増幅装置２１ｂは、その励起光源の駆動電流を、上述した方法によって、調整する。
このようにして、光通信システムに設置される光増幅装置２１が、ＷＤＭ主信号光の上流側に配置された装置から順にその励起光源の駆動電流を調整する。すべての光増幅装置２１で駆動電流の調整が行われると、それらの調整された所定の駆動電流で、光送受信端局装置２２ａから送信され光ファイバを伝送してくるＷＤＭ主信号光をラマン増幅し、ラマン増幅されたＷＤＭ主信号光が光送受信端局装置２２ｂに到達する。
なお、第４図では、光増幅装置２１に励起光源３ａ，３ｂが２つ設けられる場合を示したが、これに限られるものではなく、任意の数の励起光源を設けることができる。この場合にも、１つの励起光源ずつ、所定のラマン増幅利得を得るための励起光強度の調整が行われる。なお、励起波長数２ｓの場合における励起光強度の調整手順として、最短波、最長波、２番目に短い波長、２番目に長い波長、・・・、ｓ番目に短い波長、ｓ番目に長い波長という順番に励起光強度を設定してもよい。さらに、各信号光レベルが所定の範囲内に収まるまでそれを繰り返すようにしてもよい。外側の励起波長ほどラマン利得に寄与する信号波長数が少ないため、高い励起光強度が必要となり、かつ短い励起波長ほど励起光間のラマン遷移で減少するため、高い励起光強度が必要となる。したがって、励起光強度が高い順番、すなわちラマン利得への寄与が大きい順番に調整している前記手順によって効率的に制御を収束させることができる。
この実施の形態１によれば、光増幅装置２１内の励起光源３の駆動電流を所定の周波数で強度変調し、励起光源３から出力される励起光を強度変調してラマン利得に強度変調を与え、ラマン増幅された主信号光に重畳された利得変調信号を分離して検出し、この検出した利得変調信号の振幅が所定値となるように励起光のパワーを調整してラマン利得を制御することを、異なる波長の励起光を出力する励起光源３ごとに、時間をずらして同じ周波数の強度変調信号を用いて行うようにしたので、所要のＷＤＭ主信号光の伝送帯域を含むようにラマン利得を広帯域化することができるとともに、ラマン増幅されたＷＤＭ主信号光レベルを均一にすることが可能となる。また、利得変調信号の振幅が所定の範囲内となるように、励起光源３ａ，３ｂから出力される励起光の強度を調整するように構成したので、主信号光の調整が容易になるという効果も有する。
また、光ファイバ１中を伝搬するＷＤＭ主信号光の上流側に設けられた光増幅装置２１から順番に１台ずつ、上記のように励起光源３の駆動電流を調整するようにしたので、広帯域で信号光レベルが均一にされたＷＤＭ主信号光を長距離伝送することが可能となる。
実施の形態２．
実施の形態１では、光増幅装置２１内の励起光源３の駆動電流に印加する強度変調信号の周波数ｆ１を各励起光源３で共通にするようにしたので、ラマン増幅を行う際の励起光源３の駆動電流の調整を時間的にずらして行っていたが、この実施の形態２では、複数の励起光源３における駆動電流の調整を同時期に行うことが可能な光増幅装置２１について説明する。
第５図は、この発明にかかる光増幅装置の実施の形態２の概略構成を示すブロック図である。この光増幅装置２１は、実施の形態１の第４図において、制御電気回路７が、第１および第２の励起光源３ａ，３ｂの駆動電流に、周波数ｆ１，ｆ２で強度変調された変調信号を印加するように構成され、電気フィルタ６は、強度変調されたラマン増幅利得を有するＷＤＭ主信号光の電気信号から、それぞれの周波数ｆ１，ｆ２成分の利得変調信号を同時に抽出、分離することができるように、第１および第２の電気フィルタ６ａ，６ｂの２つに分離された構成となっている。なお、実施の形態１の第４図と同一の構成要素については、同一の符号を付してその説明を省略している。また、以下の説明では、第１および第２の励起光源３ａ，３ｂとして半導体レーザを使用する場合を例示する。
第１の電気フィルタ６ａは、光検出器５からの電気信号から周波数ｆ１成分の利得変調信号を抽出して、制御電気回路７に出力し、また、第２の電気フィルタ６ｂは、光検出器５からの電気信号から周波数ｆ２成分の利得変調信号を抽出して、制御電気回路７に出力する。
制御電気回路７は、第１の励起光源３ａの駆動電流には周波数ｆ１で強度変調された変調信号を印加し、同時に第２の励起光源３ｂの駆動電流には周波数ｆ２で強度変調された変調信号を印加する。また、第１および第２の電気フィルタ６ａ，６ｂから周波数ごとに所定の期間内に入力される利得変調信号の波形の変化を用いて、各主信号光波長における利得変調信号の振幅を検出する。その後、これらの利得変調信号の振幅が所定の値の範囲内に収まるように、それぞれの周波数に対応する第１および第２の励起光源３ａ，３ｂの強度（パワー）を駆動電流によって調整する。そして、利得変調信号の振幅が所定の値の範囲内に収まる駆動電流が求まると、制御電気回路７は、これらの駆動電流をもって第１および第２の励起光源３ａ，３ｂを駆動する。また、同時に、第１および第２の励起光源３ａ，３ｂの駆動電流への周波数ｆ１，ｆ２で強度変調された変調信号の印加を止める。
つぎに、この光増幅装置２１の動作について説明する。まず、制御電気回路７によって第１および第２の励起光源３ａ，３ｂを駆動するための駆動電流に、周波数ｆ１，ｆ２でそれぞれ強度変調された変調信号が同時に重畳される。この重畳された駆動電流が第１および第２の励起光源３ａ，３ｂに注入されると、所定の変調度を有する周波数ｆ１，ｆ２で強度変調された波長λｐ１，λｐ２の励起光がそれぞれ第１および第２の励起光源３ａ，３ｂから出射される。第１および第２の励起光源３ａ，３ｂから出射されたそれぞれの励起光は、第１の光カプラ２ａによって合波され、さらに合波された励起光は、第２の光カプラ２ｂによって光ファイバ１へと導かれる。そして、励起光は、ＷＤＭ主信号光とは逆方向に光ファイバ１内を進行し、この光ファイバ１中で光送受信端局装置２２ａ側から入力してきたＷＤＭ主信号光を誘導ラマン散乱現象によってラマン増幅する。このとき、光ファイバ１内でＷＤＭ主信号光は、強度変調された２つの励起光の周波数ｆ１，ｆ２の利得変調を伴ってラマン増幅される。
ラマン増幅されたＷＤＭ主信号光は、第２の光カプラ２ｂと光アイソレータ４を透過して、第３の光カプラ２ｃに入力する。第３の光カプラ２ｃでは、ＷＤＭ主信号光のほとんどが透過して、そのまま光ファイバ１中を受信側の光送受信端局装置２２ｂへと伝播するが、ＷＤＭ主信号光の一部（たとえば、５％）が分岐される。この分岐されたＷＤＭ主信号光が光検出器５に入力する。
光検出器５で、ＷＤＭ主信号光は電気信号に変換され、変換された電気信号は、第１および第２の電気フィルタ６ａ，６ｂに入力する。第１の電気フィルタ６ａでは、ｆ１の周波数成分を有する利得変調信号が抽出、分離され、第２の電気フィルタ６ｂでは、ｆ２の周波数成分を有する利得変調信号が抽出、分離される。これらの第１および第２の電気フィルタ６ａ，６ｂで分離されたそれぞれｆ１，ｆ２の周波数成分を有する利得変調信号は、制御電気回路７に入力する。
制御電気回路７では、所定の期間内に入力される利得変調信号の波形の変化から、各信号光波長における利得変調信号の振幅が検出され、これらの利得変調信号の振幅が所定の値となるように、上記周波数で励起光の強度変調を行っている励起光源３ａ，３ｂの駆動電流の強度が調整される。そして、この調整された駆動電流によって、上述した第１および第２の励起光源３ａ，３ｂから出力される励起光のパワーが調整され、所定のラマン利得を得ることが可能な値に制御される。
なお、上述した説明では、光ファイバ１上に光アイソレータ４を設けているが、動作条件によってはこの光アイソレータ４を省略してもよい。
また、このような構成の光増幅装置を備える光通信システムにおいては、実施の形態１で説明したように、ＷＤＭ主信号光を送信する光送受信端局装置２２ａの側に設置されている光増幅装置２１ａから、ＷＤＭ主信号光が流れる下流側に向かって、１台ずつ順番に時間をずらして、ラマン増幅利得の制御が行われる。
さらに、第５図では、光増幅装置２１に励起光源３ａ，３ｂが２つ設けられる場合を示したが、これに限られるものではなく、任意の数の励起光源を設けることができる。この場合には、すべての励起光源が異なる周波数の変調信号でその強度が変調され、同時に所定のラマン利得を得るための励起光強度の調整が行われる。
この実施の形態２によれば、異なる波長の励起光をそれぞれ異なる周波数で強度変調することによってラマン増幅利得に強度変調を与え、ラマン増幅されたＷＤＭ主信号光から重畳された各周波数の利得変調信号を分離して検出し、検出した各周波数の利得変調信号の振幅が所定の値となるように、上記周波数で励起光の強度変調を行っている励起光のパワーをそれぞれ調整することによってラマン増幅利得を制御するようにしたので、光増幅装置２１の励起光源３の駆動電流の調整を単時間で行うことができる。
なお、上述した実施の形態１，２では、励起光の進行方向とＷＤＭ主信号光の進行方向とが逆のいわゆる後方励起構成の場合を例に挙げて説明したが、これに限定されるものではなく、励起光の進行方向とＷＤＭ主信号光の進行方向とが同じ前方励起構成や、ＷＤＭ主信号光の進行方向に対して、同じ方向と逆の方向に励起光を進行させる双方向励起構成であってもよい。
また、上述した実施の形態１，２では、ラマン増幅媒体となる光ファイバ１が信号光の伝送路である場合を前提とした分布定数型の光増幅装置２１について説明したが、光増幅装置２１内に収納したラマン利得媒質としての光ファイバを用いてラマン増幅を行う集中定数型の光増幅装置にも同様にして適用することができる。さらに、ラマン利得媒質として、光ファイバだけでなく石英系ガラス平面光波回路などの光導波路を用いることができる。そして、この光導波路が、フォトニック結晶構造を有するものであってもよい。
実施の形態３．
上述した実施の形態１，２の光通信システムまたは光増幅装置２１の初期導入時において、ＷＤＭ主信号光の一部のチャネルが未使用の場合や、ＷＤＭ主信号光の一部が送信断となっている場合に、その欠落している主信号光波長帯のラマン増幅に寄与する励起光パワーの制御が問題となる。
そこで、一部の主信号光が欠落しているために、所定の利得変調振幅が得られない波長帯が存在する場合には、その波長帯のラマン増幅に主に寄与する励起光が予め初期設定した所定のパワーとなるように、その励起光源３を駆動するように制御することによって、光増幅装置２１としての動作を維持することが可能となる。
この実施の形態３によれば、ＷＤＭ主信号光の一部の主信号光が欠落している場合には、その欠落した主信号光の波長帯に対応する励起光を予め初期設定した所定のパワーに制御するようにしたので、光増幅装置２１としての動作を維持することができる。
実施の形態４．
第６図は、光送受信端局装置の概略構成を示すブロック図である。この光送受信端局装置２２は、この光送受信端局装置２２に入力される電気信号を主信号光に変換して出力する第１〜第ｎの電気／光変換部（ｎは、任意の自然数であり、波長多重する主信号光波長帯の数である）３１１〜３１ｎと、ＷＤＭ主信号光を構成する個々の主信号光の波長帯からずれた波長帯の補助信号光を出力する第１〜第ｓの補助信号光光源（ｓは、任意の自然数である）３１１〜３１ｓと、第１〜第ｎの信号光光源３１１〜３１ｎから出力される主信号光第１〜第ｓの補助信号光光源３１１〜３１ｓから出力される補助信号光とを波長分割多重する光合波器３３と、を備えて構成される。
第１〜第ｎの電気／光変換部３１１〜３１ｎは、図示しないが、信号源からのデジタル信号に送信符号処理を行う送信符号処理部と、信号光を出力する半導体レーザと、半導体レーザを駆動する駆動回路と、半導体レーザの出力を所定値に保つために、駆動回路による駆動電流を制御する出力レベル制御部をさらに有して構成される。このような構成によって、デジタル信号を光信号に変換している。なお、レーザ光の出力を光強度変調器によって変調する場合には、出力レベル制御部は、この光強度変調器を制御して、レーザ光の出力レベルを所定値に保つ。
第１〜第ｓの補助信号光光源３１１〜３１ｓは、光通信システムに備えられる光増幅装置２１ａ〜２１ｍからの励起光によるラマン増幅に寄与する波長帯であって、しかもＷＤＭ主信号光を構成する個々の主信号光の波長帯からずれた波長帯の補助信号光を出力し、たとえば、半導体レーザから構成される。この補助信号光光源３１１〜３１ｓの数は、光通信システム内で使用される異なる励起光の波長の数と等しい。
光合波器３３は、第１〜第ｎの電気／光変換部３１１〜３１ｎから出力される信号光と、第１〜第ｓの補助信号光光源３１１〜３１ｓから出力される補助信号光とを合波し、ＷＤＭ主信号光として光ファイバ１へ送出する。
一方、光増幅装置２１では、上述した実施の形態１または２において、上記光送受信端局装置２２ａから送信されるＷＤＭ主信号光のそれぞれの補助信号光における利得変調信号の振幅を検出して、この振幅値に基づいて利得制御を行う構成とする。
このような構成とすることによって、ＷＤＭ主信号光の中で欠落している主信号光波長帯が存在しても、ラマン増幅に寄与する励起光に対応した補助信号光が存在するので、その欠落している主信号光波長帯のラマン増幅に寄与する励起光のパワーを制御することが可能となる。
この実施の形態４によれば、光増幅装置２１内で使用される励起光によるラマン増幅に主に寄与する信号光波長帯の光を補助信号光として、ＷＤＭ主信号光に波長分割多重するように光送受信端局装置２２ａ，２２ｂを構成したので、ＷＤＭ主信号光の一部の主信号光が欠落している場合でも、その欠落している主信号光波長帯のラマン増幅に寄与する励起光のパワーを制御することが可能となる。
実施の形態５．
実施の形態４では、光送受信端局装置２２ａ，２２ｂに補助信号光光源３１１〜３１ｓを備えるように構成したが、補助信号光光源を光送受信端局装置２２ａ，２２ｂではなく、第２図におけるそれぞれの光増幅装置２１内に備えるようにしてもよい。第７図は、この発明にかかる光増幅装置の実施の形態５の概略構成を示すブロック図である。この光増幅装置２１は、実施の形態１の第４図において、異なる波長の励起光を出力する励起光源３ａ，３ｂと同数の補助信号光光源８ａ，８ｂと、補助信号光光源８ａ，８ｂから出力される複数の補助信号光を合波する第４の光カプラ２ｄと、合波された補助信号光をＷＤＭ主信号光と波長分割多重する第５の光カプラ２ｅとをさらに備える構成を有する。
補助信号光光源８ａ，８ｂは、光増幅装置２１内の励起光源３ａ，３ｂから出力される励起光によって主にラマン増幅利得の寄与を受ける波長帯であって、ＷＤＭ主信号光を構成する個々の主信号光の波長とは重ならない波長の補助信号光を出力し、たとえば半導体レーザなどから構成される。
このような構成とすることによって、ＷＤＭ主信号光の中で欠落している主信号光波長帯が存在しても、ラマン増幅に寄与する励起光に対応した補助信号光が存在するので、その欠落している主信号光波長帯のラマン増幅に寄与する励起光のパワーを制御することが可能となる。
なお、実施の形態２の第５図に示される構成の光増幅装置２１に、補助信号光を出力する補助信号光光源８ａ，８ｂと、この補助信号光光源８ａ，８ｂから出力される複数の補助信号光を合波する第４の光カプラ２ｄと、合波された補助信号光をＷＤＭ主信号光と合波する第５の光カプラ２ｅを備えるようにしてもよい。
この実施の形態５によれば、光増幅装置２１内で使用される励起光がラマン増幅に主に寄与する信号光波長帯の光を補助信号光として、ＷＤＭ主信号光に波長分割多重するように光増幅装置２１を構成したので、ＷＤＭ主信号光の一部の主信号光が欠落している場合でも、その欠落している主信号光波長帯のラマン増幅に寄与する励起光のパワーを制御することが可能となる。
なお、上述した実施の形態１〜５の光通信システムにおいて、光通信システム内に備えられるすべての光増幅装置２１が利得制御を行っていない期間に、励起光源３の駆動電流に変調信号を印加して、ＷＤＭ主信号光のラマン増幅利得を変調する機能を有する制御電気回路７からなる利得変調手段と、ラマン増幅されたＷＤＭ主信号光に重畳された利得変調信号を分離して検出する機能を有する光検出器５、電気フィルタ６および制御電気回路７からなる利得変調信号検出手段を、光通信システム内の監視や制御信号の送受信に利用する監視・制御手段として利用してもよい。このようにすることで、光増幅装置２１のラマン増幅利得制御に使用される際の利得変調手段と利得変調信号検出手段と、光通信システムの監視・制御に使用される監視・制御手段の構成部品の一部を共通化することができ、光通信システムの構成を簡素化することができるという効果を有する。
以上説明したように、この発明によれば、光増幅装置内の励起光源の駆動電流を所定の周波数で強度変調し、励起光源から出力される励起光を強度変調してラマン増幅利得に強度変調を与え、ラマン増幅された主信号光に重畳された利得変調信号を分離して検出し、この検出した利得変調信号の振幅が所定値となるように励起光のパワーを調整してラマン増幅利得を制御することを、異なる波長の励起光を出力する励起光源ごとに、強度変調信号を用いて行うようにしたので、所要のＷＤＭ主信号光の伝送帯域を含むようにラマン増幅利得を広帯域化することができるとともに、ラマン増幅されたＷＤＭ主信号光レベルを均一にすることが可能となる。また、利得変調信号の振幅が所定の範囲内となるように、励起光源から出力される励起光の強度を調整するように構成したので、主信号光の調整が容易になるという効果も有する。さらに、光ファイバ中を伝搬するＷＤＭ主信号光の上流側に設けられた光増幅装置から順番に１台ずつ、上記のように励起光源の励起光の強度を調整するようにしたので、広帯域で主信号光レベルが均一にされたＷＤＭ主信号光を長距離伝送することができる。
【産業上の利用可能性】  この発明は、光ファイバを利用した波長分割多重通信システムや高密度波長分割多重通信システムに用いられる光中継装置として用いる場合に適している。
【図１】
2004091121.tif 000003
【図２】
2004091121.tif 000004
【図３】
2004091121.tif 000005
【図４】
2004091121.tif 000006
【図５】
2004091121.tif 000007
【図６】
2004091121.tif 000008
【図７】
2004091121.tif 000009
【国際調査報告】
2004091121.tif 000010
2004091121.tif 000011
2004091121.tif 000012
2004091121.tif 000013